(57)【要約】      （修正有）【課題】切取部を容易に切り取ることができる切込線が形成されたダンボールその他の分解対象物を提供する。【解決手段】切込線３は、一定間隔ごとに切込４０が形成された第１切込鎖線４と、一定間隔ごとに切込５０が形成された第２切込鎖線５とを平行に配した形状に形成されている。また、切込４０及び切込５０は千鳥に配置されている。この切込線３が形成された梱包箱では、切取部６の一端側を他端側に向かって引っ張ると、切込４０と切込４０の間の部分、及び、切込５０と切込５０の間の部分とが交互に切り取られ、切取部６を他の部分から容易に切り取る部分ができるので、梱包箱を簡単に開封または分解することができる。【選択図】図２
0003166394.tif 000002
【実用新案登録請求の範囲】
【請求項１】
シート状物、または、該シート状物によって立体状に形成された立体物を、複数の部分に分解するため、該シート状物に形成された切込線を有する分解対象物であって、
前記切込線は、
一定間隔ごとに切込が形成された第１切込鎖線と、
一定間隔ごとに切込が形成された第２切込鎖線と、
を平行に配した形状に形成され、
前記第１切込鎖線を形成する各切込と、前記第２切込鎖線を形成する各切込とが、横並びの位置から、前記第１切込鎖線又は前記第２切込鎖線の長手方向に対してずらした位置に形成されていることを特徴とする分解対象物。
【請求項２】
請求項１に記載した分解対象物において、
前記第１切込鎖線の各切込と前記第２切込鎖線の各切込とが、前記第１切込鎖線及び前記第２切込鎖線の長手方向に沿って千鳥に配置されていることを特徴とする分解対象物。
【請求項３】
請求項１，２いずれか１項に記載の分解対象物は、ダンボール紙製の梱包箱であることを特徴とする分解対象物。
【請求項４】
請求項１〜３のいずれか１項に記載の分解対象物において、
所定区間の前記各切込鎖線は、
前記各切込の長手方向の一方側の端部が、他方の前記切込鎖線側に向かって折れた形状に切り込まれていることを特徴とする分解対象物。
【考案の詳細な説明】
【技術分野】
【０００１】
本考案は、切込線を有する分解対象物に関する。
【背景技術】
【０００２】
従来、ダンボール製の梱包箱や、ティッシュペーパー用の箱のような厚紙製の梱包箱の表面には、これらを分解するための切込線が形成されている。この切込線としては、一定間隔ごとに切込が形成された２本の切込鎖線を平行に並べ、一方の切込鎖線を構成する各切込と、他方の切込鎖線を構成する各切込とが横並びに並ぶように形成されたものがある（例えば、特許文献１参照）。
【０００３】
この切込線が形成された梱包箱を分解する場合、切込鎖線で挟まれた部分（以下「切取部」という）の一端を他端側に向かって引くと、各切込鎖線を形成する切込同士がつながって、切取部が梱包箱から分離され、切取部で繋がっていた部分が２つに分離される。
【０００４】
そのため、梱包箱に切込線を形成しておくと、ハサミ等を用いることなく、切取部を切り離すだけで梱包箱を分解できるので、梱包箱を容易に分解することができる。
【先行技術文献】
【特許文献】
【０００５】
【特許文献１】国際公開第２００７／０４９６１９号
【考案の概要】
【考案が解決しようとする課題】
【０００６】
しかし、厚手のダンボール紙を用いて梱包箱を形成した場合に特に顕著であるが、せっかく切込線を設けても、切込鎖線を形成する各切込の間の部分が切れず、切取部を梱包箱切り離すときに非常に強い力が必要であることがあった。
【０００７】
本考案は、上記点に鑑み、切取部を容易に切り離すことができる切込線が形成された梱包箱その他の分解対象物を提供することを目的とする。
【課題を解決するための手段】
【０００８】
上記目的を達成するためになされた請求項１の考案は、シート状物、または、該シート状物によって立体状に形成された立体物を、複数の部分に分解するため、該シート状物に形成された切込線を有する分解対象物であって、前記切込線は、一定間隔ごとに切込が形成された第１切込鎖線と、一定間隔ごとに切込が形成された第２切込鎖線と、を平行に配した形状に形成され、前記第１切込鎖線を形成する各切込と、前記第２切込鎖線を形成する各切込とが、横並びの位置から、前記第１切込鎖線又は前記第２切込鎖線の長手方向に対してずらした位置に形成されていることを特徴とする。
【０００９】
この分解対象物のように切込線を形成すると、第１切込鎖線と第２切込鎖線とで挟まれた部分（以下切取部という）の一端側を他端側に向かって引っ張って、切取部を分解対象物から切り離すとき、第１切込鎖線の切込と切込の間の部分と、第２切込鎖線の切込と切込の間の部分とが交互に切り取られることとなる。
【００１０】
従来の切込線は、各切込鎖線を構成する各切込が横並びに並ぶように形成されていたため、切取部を切り離すときに、各切込鎖線を形成する各切込の間の部分を同時に切り取っていたので、非常に強い力が必要であった。
【００１１】
しかし、本考案では、上述したように、切取部を分離するときに、第１切込鎖線の切込と切込の間の部分と、第２切込鎖線の切込と切込の間の部分とが交互に切り取られることとなるので、本考案の分解対象物は、従来の分解対象物に比べ、より簡単に分解することができる。
【００１２】
尚、横並び位置とは、各切込の長手方向の中点部分を結んだときに、その中点同士を結んだ線が各切込に対して垂直となる位置を意味する。
また、第１切込鎖線及び第２切込鎖線を形成する各切込のずらし方としては、請求項２に記載したように、第１切込鎖線の各切込と第２切込鎖線の各切込とが、第１切込鎖線及び第２切込鎖線の長手方向に沿って千鳥に配置されていることが好ましい。
【００１３】
また、分解対象物としては、ダンボール、厚紙その他の紙で形成されたものはもちろん、プラスチック製のシートなどシート状物で形成されたものであればどのような物でもよい。
【００１４】
具体的には、請求項３に記載したように、家電製品等を梱包するために用いられるダンボール紙製の梱包箱や、厚紙で形成されたティッシュペーパー用の箱など、どのような物でもよい
次に、請求項４に記載したように、請求項１〜３のいずれか１項に記載の分解対象物において、所定区間の各切込鎖線は、各切込の長手方向の一方側の端部が、他方の切込鎖線側に向かって折れた形状に切り込まれていることが好ましい。
【００１５】
このように形成すると、切取部を切り取るときに、切取部が切り取りやすくなり、また、切取部を切り取らないときに、この切取部によって接続された２つの部分を確実に接合しておくことができるからである。
【００１６】
尚、所定区間とは、各切込鎖線の長手方向の一部の区間でもよいし全部の区間でもよい。
【図面の簡単な説明】
【００１７】
【図１】本実施形態のダンボール製の梱包箱の斜視図である。
【図２】図１の符合αの部分の拡大図である。
【考案を実施するための形態】
【００１８】
以下に本考案の実施形態を図面と共に説明する。
本実施形態の梱包箱１は、図１に示すように、ダンボール紙を用いて形成されており、天面１ａに設けられた切込線３が形成された部分を切り取ることで開封することができるものである。
【００１９】
この切込線３は、図２に示すように、一定間隔ごとに切込４０が形成された第１切込鎖線４と、一定間隔ごとに切込５０が形成された第２切込鎖線５とを平行に配した形状に形成されている。
【００２０】
そして、第１切込鎖線４の切込４０に対し、第２切込鎖線５の切込５０が、第１切込鎖線４及び第２切込鎖線５の長手方向に対してずらした位置に形成されている。
具体的には、図２中、点線で示した部分を見ると分かるように、第１切込鎖線４の各切込４０と第２切込鎖線５の各切込５０とが、第１切込鎖線４及び第２切込鎖線５の長手方向に沿って千鳥に配置されている。
【００２１】
また、本実施形態の第１切込鎖線４及び第２切込鎖線５は、その長手方向の中央に、他の切込４０，５０よりも長尺な長切込４１，５１が形成されている。
また、本実施形態の第１切込鎖線４及び第２切込鎖線５は、長切込４１，５１を挟んだ両側で切込４０，５０の形状が異なっており、各切込４０，５０は、長切込４１，５１側の端部が内側に向かって折れた形状に形成されている。
【００２２】
このような切込線３が形成された梱包箱１では、第１切込鎖線４と第２切込鎖線５とで挟まれた部分（以下切取部６という）の一端側を他端側に向かって引っ張って、切取部６を切取部６以外の部分から分解する際、第１切込鎖線４の切込４０と切込４０の間の部分と、第２切込鎖線５の切込５０と切込５０の間の部分とが交互に切り取られることとなる。
【００２３】
そのため、本実施形態の梱包箱１は、切取部６を他の部分から容易に切り取ることができるので、従来の切取線が形成された梱包箱に比べ、梱包箱を簡単に開封または分解、分解することができる。
【００２４】
（その他の実施形態）
尚、上記実施形態では、ダンボール紙で形成された梱包箱１について説明したが、これに限られるものではなく、材料としてはダンボール紙以外の厚紙その他のシート状物を用いることができる。
【００２５】
材料としては、ダンボールその他の紙以外にもプラスチック製のものを用いてもよいし、その他の材料を用いてもよいことはもちろんである。
また、上記実施形態では梱包箱について説明したが、切込線３が形成される対象は梱包箱に限られるものではないことはもちろんである。切込線３が設けられる物としては、ティッシュペーパー用の箱などでもよいし、立体状物に限らず、平面状のものでもよい。
【００２６】
また、本考案は、実用新案登録請求の範囲に記載された考案の趣旨に合致するものであればよく、上述の実施形態に限定されるものではない。
【符号の説明】
【００２７】
１…梱包箱、１ａ…天面、３…切込線、４…第１切込鎖線、５…第２切込鎖線、６…切取部、４０…切込、４１…長切込、５０…切込、５１…長切込。
【図１】
0003166394.tif 000003
【図２】
0003166394.tif 000004